(57)【特許請求の範囲】
【請求項１】
ペットフードが収納されるペットフード収納部と、このペットフード収納部を支持する支持台部とからなるペットフード収納容器において、
前記ペットフード収納部と前記支持台部とを一体成形し、
前記ペットフード収納部が、ペットフードを直接内部に収納する収納部本体と、この収納部本体の下部に設けられペットフードを取り出すホッパ機構部と、前記収納部本体の上部を施蓋する蓋体とを備え、
前記ホッパ機構部が、前記収納部本体の内外を連通しペットフードを外部に流出させる流出通路と、この流出通路の上流側に設けられ当該流出通路にその上側から下側へ延びてペットフードの流量を制限する流量制限板と、前記流出通路の下流側に設けられ前記流量制限板に対して下側へずれることでこの流出通路を開放して前記ペットフードを外部に流出させると共に前記流量制限板に対して下側から上側へずれることでこの流出通路の面積を次第に小さくして閉塞させてペットフードの流れを遮断するシャッタと、当該シャッタと前記流量制限板との間に形成され前記シャッタを閉塞する際にペットフードの流れの勢いを吸収して前記シャッタへのペットフードのはさみ込みを防いで前記流出通路を完全に閉じるための空間とから構成されたことを特徴とするペットフード収納容器。
【請求項２】
請求項１に記載のペットフード収納容器において、
前記蓋体が、その内側面に除湿剤を有し、前記収納部本体との当接部にパッキングを有することを特徴とするペットフード収納容器。
【発明の詳細な説明】
【０００１】
【産業上の利用分野】
本発明は、大量のペットフードを収納し、ペットに与えるときに必要な量だけ食器に取り出すペットフード収納容器に関する。
【０００２】
【従来の技術】
一般に、ペットフードは例えば１０Kg程度を単位として袋で販売されている。
【０００３】
この袋単位のペットフードを購入して、通常その袋のまま、または蓋付きの箱に入れて保管する。
【０００４】
この蓋付きの箱としては、箱の上部に蓋を付けると共に箱の底部にペットフードの給餌装置を設けたものがある。この例としては、実公平４−３６６１４号公報記載のものがある。この給餌装置は、タイマにより駆動制御されたモータで餌誘導回転板が回転され、一定量の餌を取り出す構成となっている。
【０００５】
【発明が解決しようとする課題】
ところが、前述のようなペットフードの収納方法では次のような問題がある。
【０００６】
（１）  袋のまま保管する場合、ペットフードの取出し口とする切り口を塞いで確実に固定しておかないと、倒れて内部のペットフードがこぼれてしまうことがある。また、ペットの近くに保管しておくと、ペットがその袋を破ってしまうことがある。
【０００７】
さらに、内部を密封しておかないと、内部のペットフードが湿気を吸収して、悪くなることがある。
【０００８】
（２）  給餌装置を備えたものでは、装置が複雑で製造コストが嵩む。さらに、この給餌装置では、ペットフードの取出し口が密封されていないため、このペットフードが湿気を吸収して、悪くなることがある。
【０００９】
本発明は以上述べたような問題点に鑑みてなされたもので、ペットフードの保管が容易でかつ保存性がよく、安価に製造できるペットフード収納容器を提供することを目的とする。
【００１０】
【課題を解決するための手段】
前述した課題を解決するために第１の発明は、ペットフードが収納されるペットフード収納部と、このペットフード収納部を支持する支持台部とからなるペットフード収納容器において、前記ペットフード収納部と前記支持台部とを一体成形し、前記ペットフード収納部が、ペットフードを直接内部に収納する収納部本体と、この収納部本体の下部に設けられペットフードを取り出すホッパ機構部と、前記収納部本体の上部を施蓋する蓋体とを備え、前記ホッパ機構部が、前記収納部本体の内外を連通しペットフードを外部に流出させる流出通路と、この流出通路の上流側に設けられ当該流出通路にその上側から下側へ延びてペットフードの流量を制限する流量制限板と、前記流出通路の下流側に設けられ前記流量制限板に対して下側へずれることでこの流出通路を開放して前記ペットフードを外部に流出させると共に前記流量制限板に対して下側から上側へずれることでこの流出通路の面積を次第に小さくして閉塞させてペットフードの流れを遮断するシャッタと、当該シャッタと前記流量制限板との間に形成され前記シャッタを閉塞する際にペットフードの流れの勢いを吸収して前記シャッタへのペットフードのはさみ込みを防いで前記流出通路を完全に閉じるための空間とから構成されたことを特徴とする。
【００１１】
第２の発明は、前記蓋体が、その内側面に除湿剤を有し、前記収納部本体との当接部にパッキングを有することを特徴とする。
【００１２】
【作用】
第１の発明の構成により、ペットフードを保管するときは、蓋体を開き、収納部本体内にペットフードを収納して施蓋する。必要なときには、ホッパ機構部から必要な量だけペットフードを取り出す。
【００１３】
また、ペットフード収納部と支持台部とを一体成形したので、部品点数が減少して製造コストの低減を図ることができる。
【００１４】
流出通路を通って外部に流出するペットフードは、流出通路が閉じられる際にその流れの勢を空間で吸収される。これにより、ペットフードのはさみ込みを起こすことがなくなり、流出通路が完全に閉じられる。
【００１５】
ペットフードを取り出すときは、ホッパ機構部のシャッタを開ける。これにより、流出通路が開放されて収納部本体内のペットフードが外部に流出する。このとき、ペットフードは流量制限板によってその流量が一定に制限される。所定量だけペットフードを取り出した後は、シャッタを閉める。これにより、流量制限板でペットフードの流れが制限された流出通路が閉塞される。このとき、ペットフードの流れは、シャッタが完全に閉塞する前に、このシャッタと流量制限板との関係で遮断されてしまう。その後に、シャッタが、流量制限板との間に空間を形成しながらペットフードのはさみ込みを起こすことなく、完全に閉じられる。これにより、収納部本体内の気密性を保つことができる。
【００１６】
第２の発明により、蓋体の収納部本体との当接部にパッキングを有するので、前記ホッパ機構部の気密性と相俟って収納部本体内の気密性を保つことができる。この状態で、蓋体の内側面に除湿剤を有すると、収納部本体内の湿度を低く保つことができ、ペットフードが湿気を吸収するのを防止することができる。さらに、多少湿気を吸収したペットフードでも、収納部本体内において、除湿剤によって乾燥させることができる。これにより、ペットフードの保存性が向上する。
【００１７】
【実施例】
以下、本発明の実施例について図面を参照しながら説明する。図１は本実施例のペットフード収納容器を示す分解斜視図、図２はホッパ機構部を示す分解斜視図、図３はホッパ機構部を示す縦断面図、図４は図１のペットフード収納容器の蓋体と収納部本体との当接部を示す要部断面図である。
【００１８】
本実施例に係るペットフード収納容器１は、図１に示すように、ペットフードを収納するペットフード収納部２と、このペットフード収納部２と一体的に成形されこのペットフード収納部２を下側から支持する支持台部３とから概略構成されている。具体的には、全体がほぼ四角筒状に形成され、その途中に底面壁４が設けられることによってペットフード収納部２と支持台部３とが仕切られている。これらペットフード収納部２及び支持台部３は、透明または半透明の合成樹脂で成形され、内部に収納したペットフードの状況が分かるようになっている。即ち、ペットフードの残量や悪くなっていないか等の状況が分かるようになっている。
【００１９】
ペットフード収納部２は、四角筒部と底面壁４とで仕切られペットフードを直接内部に収納する収納部本体６と、この収納部本体６の底面壁４の部分に設けられペットフードを取り出すホッパ機構部７と、収納部本体６の上部を施蓋する蓋体８とから概略構成されている。
【００２０】
底面壁４は平板を湾曲させた状態に形成され、この底面壁４全体を傾斜させて取り付けられている。これにより、底面壁４に載置されたペットフードがその自重で一方（図１中の右方）に転がり落ちるようになっている。この底面壁４の下流側（右側）にはホッパ機構部７が設けられ、収納部本体６内に収納されたペットフードは傾斜した底面壁４によってホッパ機構部７に集中するようになっている。
【００２１】
このホッパ機構部７は、図２及び図３に示すように、収納部本体６内のペットフードを外部に流出させるための出口である流出通路１０と、この流出通路１０の上流側（内側）に設けられペットフードが外部に流出する際の流量を制限する流量制限板１１と、流出通路１０の下流側に回転可能に設けられたシャッタ１２とから概略構成されている。ホッパ機構部７の基板となる傾斜壁１５と底面壁４とは一体的に成形されており、この傾斜壁１５の下端部に流出通路１０が設けられている。
【００２２】
シャッタ１２は、全体を円盤状に形成され、その一部を扇状に切り欠いて流出通路１０を開閉する開閉穴１２Ａが設けられている。このシャッタ１２は、傾斜壁１５にスペーサ１６、つまみ１７及びワッシャ１８を介してねじ１９で回転可能に取り付けられている。このシャッタ１２を回転させ開閉穴１２Ａと流出通路１０とをずらして閉塞することで、このシャッタ１２と流量制限板１１との間に空間２１を形成されるようになっている。この空間２１は、シャッタ１２を回転し流出通路１０を閉塞してペットフードの流れを遮断する際に、その流れを吸収する。即ち、シャッタ１２を回転させていくことで、流量制限板１１との関係でペットフードが流れ得る流出通路１０の面積が次第に小さくなり、ついにペットフードが流れなくなってこの流出通路１０が遮断されてしまう。このときに、シャッタ１２は完全には閉じておらず、流量制限板１１との間に空間２１を形成した状態で、さらにそれから少し回転して完全にシャッタ１２が閉じる。これにより、シャッタ１２と傾斜壁１５との間にペットフードがはさみ込みを起こすことがなくなり、ホッパ機構部７が完全に閉じられることで、この部分で収納部本体６の気密性を保つことができる。
【００２３】
蓋体８は、図１に示すように、収納部本体６の上端に嵌合し、この収納部本体６の内部を閉塞する。蓋体８の裏面（下側面）には除湿剤２５が取り付けられている。この除湿剤２５は蓋体８の裏面に係止する収納篭２６に収納されている。この収納篭２６の両端には係止爪２７，２８が設けられ、蓋体８の裏面には係止爪２７，２８が係止する係止部（図示せず）が設けられている。収納篭２６は、内部に除湿剤２５を収納して係止爪２７，２８が係止部に係止することで、除湿剤２５を蓋体８の裏面に取り付けている。
【００２４】
蓋体８の縁部にはバックル３０が取り付けられている。このバックル３０は、蓋体８が収納部本体６に施蓋された状態で、この蓋体８が収納部本体６から外れないように固定するためのものである。なお、図１においては、バックル３０を蓋体８の左側にのみ設けたが、両側に設けてもよい。これにより、ペットがペットフード収納容器１を倒しても内部のペットフードが外部にこぼれないようなっている。
【００２５】
蓋体８の周縁部には、図４に示すように、収納部本体６との当接部分にパッキング３２が取り付けられている。蓋体８の周縁部には、その全周に亘ってパッキング嵌合溝３３が設けられ、このパッキング嵌合溝３３にパッキング３２が取り付けられている。収納部本体６の上端部には、パッキング嵌合溝３３に嵌合できるように、このパッキング嵌合溝３３と同じ幅の環状凸部３４が形成されている。これにより、パッキング嵌合溝３３に環状凸部３４が嵌合して環状凸部３４とパッキング３２とが互いに当接することで、収納部本体６内が気密状態に保たれるようになっている。
【００２６】
以上の構成により、ペットフードを保管するときは、バックル３０を外して蓋体８を開き、収納部本体６内にペットフードを収納して施蓋する。
【００２７】
ペットフードを収納部本体６内から食器に取り出すときは、つまみ１７を掴んでシャッタ１２を回し、開閉穴１２Ａを流出通路１０に合わせる。これにより、流出通路１０が開放され、底面壁４の上に載置されたペットフードがその自重で流出通路１０に集中し、外部に流出する。このとき、ペットフードは流量制限板１１によってその流出量が一定に制限される。食器に所定量のペットフードが入ったら、シャッタ１２を逆に回し、開閉穴１２Ａを流出通路１０からずらして施蓋する。
【００２８】
このとき、流出通路１０においては、シャッタ１２の回転に伴って、流量制限板１１との関係で流出通路１０が次第に狭くなり、閉じていく。そして、シャッタ１２が完全に閉じてしまう前に、流出通路１０が遮断されてしまう。これにより、ペットフードの流出は止る。
【００２９】
この後もシャッタ１２は回転し、流量制限板１１との間で空間２１を形成しながら、完全に閉じてしまう。空間２１においては、シャッタ１２の回転によってペットフードの流出が完全に止るときに、空間２１にペットフードの流れの勢が吸収される。これにより、シャッタ１２と傾斜壁１５との間でペットフードによるはさみ込みを起こすことがなくなる。
【００３０】
この結果、シャッタ１２ははさみ込みを起こすことなく完全に閉じられ、収納部本体６内の気密性が保たれる。収納部本体６と蓋体８との間もパッキング３２によって気密性が保たれている。これにより、収納部本体６内への湿気の侵入を防止することができる。蓋体８の内側には除湿剤２５が取り付けられているので、収納部本体６内の気密性を保った状態で湿度を低く押えることができ、ペットフードが湿気を吸収するのを防止することができる。さらに、多少湿気を吸収したペットフードでも、収納部本体６内において、除湿剤２５によって乾燥させることができる。これにより、ペットフードの保存性が向上する。
【００３１】
また、ペットフードは、ペットフード収納容器１の蓋体８を開いて収納部本体６内に入れ、施蓋してバックル３０を掛けておくだけなので、保管が容易になる。
【００３２】
さらに、ペットフード収納部２と支持台部３とを一体成形したので、部品手数が減少して製造コストの低減を図ることができる。
【００３３】
［第１変形例］
前記実施例では、ホッパ機構部７として回転自在に取り付けられた円盤状のシャッタ１２を用いた場合を例に説明したが、図５に示すように、俯仰自在に取り付けられたシャッタ４１を用いてもよい。
【００３４】
本変形例に係るホッパ機構部４０のシャッタ４１は、俯仰自在に取り付けられたガイド板によって構成されている。図中の４２は底面壁で、この底面壁４２は一方（図５においては左下方）に傾斜して設けられている。また、左端から右下方に傾斜した傾斜壁４３が形成され、この傾斜壁４３と底面壁４２の接続部分にホッパ機構部４０が設けられている。
【００３５】
このホッパ機構部４０では、流量制限板４５は傾斜壁４３の先端部によって構成されている。底面壁４２の左下端部にシャッタ４１が俯仰自在に取り付けられている。このシャッタ４１は、俯す（図５中の二点鎖線の状態）ことで、底面壁４２と同一角度になるまで傾斜し、底面壁４２を延長した状態になる。これにより、ペットフードを外部に流出させる。また、シャッタ４１が仰向くことで、流量制限板４５との間に空間４６が形成され、前記実施例同様の作用によってペットフードの流れを空間４６で吸収して、シャッタ４１が完全に閉じる。
【００３６】
これにより、前記実施例同様の効果を奏することができる。
【００３７】
［第２変形例］
前記第１変形例では、ホッパ機構部４０のシャッタ４１として俯仰自在に取り付けられたガイド板を用いたが、図６に示すように、スライドするシャッタ５１を用いてもよい。
【００３８】
本変形例に係るペットフード収納容器の全体構成は、前記第１変形例に係るペットフード収納容器とほぼ同様である。
【００３９】
底面壁５２と傾斜壁５３との接続部分にホッパ機構部５０が設けられている。流量制限板５５は傾斜壁５３の先端部によって構成されている。さらに、傾斜壁５３には摺動支持板５６が形成されている。この摺動支持板５６にはシャッタ５１が摺動自在に取り付けられている。さらにこのシャッタ５１の下側は底面壁５２の先端部に摺動自在に支持されている。このシャッタ５１は、図７に示すように、摺動板部５１Ａと、手で押し下げるための板部５１Ｂとから構成されている。摺動板部５１Ａには開閉穴５１Ｃが形成されている。シャッタ５１はスプリング５９によって上方に付勢される。このスプリング５９は、摺動板部５１Ａに２本並列に設けられた溝状の切欠き５１Ｄ，５１Ｅに嵌合され、上端を板部５１Ｂに当接し、下端を摺動支持板５６に当接してシャッタ５１を上方に付勢している。
【００４０】
このシャッタ５１が上下に摺動することで、流量制限板５５と底面壁５２との間に設けられた流出通路５７を開閉させる。この結果、シャッタ５１と摺動支持板５６との間に形成された空間５８では、前記実施例同様の作用によってペットフードの流れを吸収して、シャッタ５１を完全に閉じる。
【００４１】
これによっても、前記実施例同様の効果を奏することができる。
【００４２】
［第３変形例］
また、回動可能に取り付けられた扇形のシャッタを用いてもよい。
【００４３】
本変形例に係るペットフード収納容器６１は、図８に示すように、ペットフード収納部６２と支持台部６３との間を多少小さくして成形されている。
【００４４】
ホッパ機構部６５は、図９及び図１０に示すように構成されている。ペットフード収納部６２の下部には、支持台部６３の内部に収納された状態でホッパ６６が設けられている。このホッパ６６は、対向する２枚の側壁（図示せず）と底面壁６７と傾斜壁６８とから構成されている。流量制限板６９は傾斜壁６８の先端部によって構成されている。
【００４５】
前記２枚の側壁には、扇形のシャッタ７１が回動可能に取り付けられている。このシャッタ７１を上方に回動して流出通路７２を閉じることで、シャッタ７１と流量制限板６９との間に空間７３が形成される。
【００４６】
これによっても、前記実施例同様の作用、効果を奏することができる。
【００４７】
なお、前記実施例においては、シャッタ１２と傾斜壁１５との間には何も設けなかったが、パッキングを介装してホッパ機構部７での気密性をさらに高めるようにしてもよい。
【００４８】
【発明の効果】
以上詳細に説明したように本発明によれば、次の効果を奏することができる。
【００４９】
（１）  ペットフード収納部と支持台部とを一体成形したので、部品手数が減少して製造コストの低減を図ることができる。
【００５０】
（２）  ペットフードは、ペットフード収納容器の蓋体を開いて収納部本体内に入れ、施蓋しておくだけなので、ペットフードの保管が容易になる。
【００５１】
（３）  シャッタを、流量制限板との間で空間を形成しながら閉じることで、ペットフードの流れの勢を吸収しながら流出通路を閉塞するので、シャッタがペットフードのはさみ込みを起こすことがなくなり、完全に閉じられる。さらに、蓋体と収納部本体との当接部にパッキングを有するので、収納部本体内の気密性を確実に保つことができるようになる。
【００５２】
（４）  蓋体の内側面に除湿剤を有するので、収納部本体内の気密性を保った状態で湿度を低く押えることができるようになる。これにより、収納部本体内に収納されたペットフードが湿気を吸収するのを防止することができる。さらに、多少湿気を吸収したペットフードでも、収納部本体内で乾燥させることができるようになる。この結果、ペットフードの保存性が向上する。
【図面の簡単な説明】
【図１】本発明に係るペットフード収納容器を示す分解斜視図である。
【図２】本発明に係るホッパ機構部を示す分解斜視図である。
【図３】本発明に係るホッパ機構部を示す縦断面図である。
【図４】図１のペットフード収納容器の蓋体と収納部本体との当接部を示す要部断面図である。
【図５】第１変形例を示す縦断面図である。
【図６】第２変形例を示す縦断面図である。
【図７】図６のシャッタを示す斜視図である。
【図８】第３変形例を示す縦断面図である。
【図９】図８のペットフード収納容器の縦断面図である。
【図１０】図９のペットフード収納容器をそのシャッタを閉じた状態で示す縦断面図である。
【符号の説明】
１…ペットフード収納容器、２…ペットフード収納部、３…支持台部、４…底面壁、６…収納部本体、７…ホッパ機構部、８…蓋体、１０…流出通路、１１…流量制限板、１２…シャッタ。
【図１】
0003608812.tif 000002
【図２】
0003608812.tif 000003
【図３】
0003608812.tif 000004
【図４】
0003608812.tif 000005
【図５】
0003608812.tif 000006
【図６】
0003608812.tif 000007
【図７】
0003608812.tif 000008
【図８】
0003608812.tif 000009
【図９】
0003608812.tif 000010
【図１０】
0003608812.tif 000011